(57)【要約】【課題】ドクターホルダ構造に関し、ドクターナイフの先端部の一部が摩耗した場合においても、ドクターナイフを交換することなく印刷対象物への印刷を連続して行えるようにする。【解決手段】先端部が印刷ロール３の外周面に接触するドクターナイフ１１と、ドクターナイフ１１を保持するホルダ１２と、ホルダ１２を軸方向に移動可能に支持するシャフト１３とを備え、ドクターナイフ１１は、その幅方向長さを印刷ロール３の幅方向長さよりも少なくとも２倍以上長く形成されている。【選択図】図１
2013233677.tif 000002
【特許請求の範囲】
【請求項１】
先端部が印刷ロールの外周面に接触するドクターナイフと、
前記ドクターナイフを保持するホルダと、
前記ホルダを軸方向に移動可能に支持するシャフトと、を備え、
前記ドクターナイフは、その幅方向長さを前記印刷ロールの幅方向長さよりも少なくとも２倍以上長く形成されていることを特徴とするドクターホルダ装置。
【請求項２】
前記シャフトに、前記ホルダの移動を軸方向に案内するガイド溝が形成された請求項１に記載のドクターホルダ装置。
【請求項３】
前記ホルダに、前記ドクターナイフの基部を受け入れて固定する第一の溝と、前記シャフトを摺動自在に受け入れる第二の溝とが形成されると共に、該第二の溝を該第一の溝よりも上方に位置させた請求項１又は２に記載のドクターホルダ装置。
【請求項４】
前記ホルダの移動を前記シャフトの所定位置にロック可能なロック手段をさらに備える請求項１から３の何れかに記載のドクターホルダ装置。
【発明の詳細な説明】
【技術分野】
【０００１】
本発明は、ドクターホルダ装置に関し、特に、電線等の表面に文字・記号等を印刷するインライン用印刷機のドクターホルダ装置に関する。
【背景技術】
【０００２】
電線等の絶縁体被覆工程において、絶縁体表面に文字・記号等を印刷するインライン用印刷機が知られている（例えば、特許文献１参照）。
【０００３】
このインライン用印刷機は、インクタンク内の印刷インクをポンプによりインクノズルに圧送供給して印刷ロールに吹き付けると共に、印刷ロールと押さえロールとの間に電線を挟み込んで自動搬送することで、電線の表面に文字等を印刷する。
【０００４】
また、インライン用印刷機は、印刷ロールに吹き付けられた余剰の印刷インクを取り除くために、先端部を印刷ロールの外周面に接触させたドクターナイフを備えている。このドクターナイフは、印刷ロールと略同一幅で形成されており、ドクターホルダ装置によって保持されている。
【先行技術文献】
【特許文献】
【０００５】
【特許文献１】特開平９−８５９３０号公報
【発明の概要】
【発明が解決しようとする課題】
【０００６】
ところで、ドクターナイフの先端部は印刷ロールの外周面と接触しているので、その先端部には印刷ロールの回転により摩擦力が作用する。そのため、長時間使用するとドクターナイフの先端部が摩耗して、印刷文字にカケ等が発生することがある。この場合、摩耗したドクターナイフをドクターホルダ装置から取り外して新品に交換する必要があるが、交換作業中は印刷を中止する必要がある。
【０００７】
本発明は、このような点に鑑みてなされたもので、その目的は、ドクターナイフの先端部の一部が摩耗した場合においても、ドクターナイフを交換することなく印刷対象物への印刷を連続して行えるインライン用印刷機のドクターホルダ装置を提供することにある。
【課題を解決するための手段】
【０００８】
上述の目的を達成するため、本発明のドクターホルダ装置は、先端部が印刷ロールの外周面に接触するドクターナイフと、前記ドクターナイフを保持するホルダと、前記ホルダを軸方向に移動可能に支持するシャフトとを備え、前記ドクターナイフは、その幅方向長さを前記印刷ロールの幅方向長さよりも少なくとも２倍以上長く形成されていることを特徴とする。
【０００９】
また、前記シャフトに、前記ホルダの移動を軸方向に案内するガイド溝が形成されてもよい。
【００１０】
また、前記ホルダに、前記ドクターナイフの基部を受け入れて固定する第一の溝と、前記シャフトを摺動自在に受け入れる第二の溝とが形成されると共に、該第二の溝を該第一の溝よりも上方に位置させてもよい。
【００１１】
また、前記ホルダの移動を前記シャフトの所定位置にロック可能なロック手段をさらに備えてもよい。
【発明の効果】
【００１２】
本発明のインライン用印刷機のドクターホルダ装置によれば、ドクターナイフの先端部の一部が摩耗した場合においても、ドクターナイフを交換することなく印刷対象物への印刷を連続して行うことができる。
【図面の簡単な説明】
【００１３】
【図１】（ａ）は本発明の一実施形態に係るドクターホルダ装置が適用されたインライン用印刷機を示す模式的な上視図、（ｂ）は（ａ）のＡ−Ａ線断面図である。
【図２】（ａ）は本発明の一実施形態に係るドクターホルダ装置を示す模式的な上視図、（ｂ）は（ａ）のＡ−Ａ線断面図である。
【図３】本発明の一実施形態に係るドクターホルダ装置のホルダ部材を示す模式的な斜視図である。
【図４】（ａ）は従来例のドクターホルダ装置を示す模式的な上視図、（ｂ）は（ａ）のＡ−Ａ線断面図である。
【図５】本発明の他の実施形態に係るドクターホルダ装置を示す模式的な断面図である。
【発明を実施するための形態】
【００１４】
以下、図面に基づいて、本発明の一実施形態に係るドクターホルダ装置を説明する。同一の部品には同一の符号を付してあり、それらの名称および機能も同じである。したがって、それらについての詳細な説明は繰返さない。
【００１５】
まず、図１に基づいて、本実施形態のドクターホルダ装置１０が適用されるインライン用印刷機１の全体構成から説明する。
【００１６】
インライン用印刷機１は、印刷インクを貯留するインク容器２と、電線５０に下方から接触する印刷ロール３と、インク容器２の側部に設けられた印刷ロールベース部４と、電線５０を上方から押圧する押さえロール５と、印刷ロールベース部４の側部に設けられた押さえロールベース部６と、インク容器２の側部に設けられたドクターホルダベース部７とを備えている。なお、図示の関係上、図１（ａ）において押さえロール５は省略されている。
【００１７】
インク容器２は、上方が開放した矩形箱状に形成されており、その中央部には印刷ロール３が略下半分を印刷インクに浸漬させた状態で配置されている。
【００１８】
印刷ロール３は、電線５０の表面に文字・記号等を印刷するもので、その外周面には印刷文字・記号等の溝が彫り込まれている。また、印刷ロール３は、図示しないベアリングを介して印刷ロールベース部４に回転自在に支持された印刷ロール用シャフト８に固定されている。
【００１９】
押さえロール５は、図示しないベアリングを介して押さえロールベース部６に回転自在に支持された押さえロール用シャフト９に固定されている。この押さえロール用シャフト９は、図示しないバネ等の付勢手段により下方に向けて付勢されており、これにより押さえロール用シャフト９に固定された押さえロール５が電線５０を上方から下方に向けて押圧する。
【００２０】
すなわち、本実施形態のインライン用印刷機１は、印刷ロール３と押さえロール５との間に挟み込まれた電線５０を一方向（図１（ｂ）中の矢印Ｘ）に自動搬送すると、印刷ロール３と押さえロール５とが逆方向（図１（ｂ）中の矢印Ｙ）に回転されることで、電線５０の長手方向に文字・記号等を印刷するように構成されている。
【００２１】
次に、図２，３に基づいて、本実施形態のドクターホルダ装置１０の詳細構成について説明する。
【００２２】
図２に示すように、ドクターホルダ装置１０は、印刷ロール３上の余剰の印刷インクを削ぎ取るドクターナイフ１１と、ドクターナイフ１１を保持するホルダ部材１２と、ホルダ部材１２を支持するホルダ用シャフト１３とを備えている。
【００２３】
ドクターナイフ１１は、その先端部を印刷ロール３の外周面に所定の角度で適当な圧力で接触させている。このドクターナイフ１１の幅方向長さは、印刷ロール３の幅方向長さよりも２倍以上長く（本実施形態では約４倍）形成されている。なお、ドクターナイフ１１の幅方向長さは、インク容器２の幅方向長さよりも短いものであれば、印刷ロール３の幅方向長さよりも４倍以上長く形成されてもよい。
【００２４】
ホルダ部材１２は、図３に示すように、横長のブロック状に形成されており、その一側面１２ａの長手方向にはドクターナイフ１１の基部を受け入れて固定するための固定溝２０が形成されている。また、ホルダ部材１２の他側面１２ｂの長手方向には、ホルダ用シャフト１３を受容して軸方向に摺動移動（スライド移動）するためのスライド溝２１が形成されている。このスライド溝２１は、ドクターナイフ１１により削ぎ取られた印刷インクが流れ込まないように、固定溝２０よりも上方に位置して設けられている。
【００２５】
さらに、ホルダ部材１２には、上側面１２ｃから固定溝２０に到達する３個の固定用ネジ穴２２〜２４と、上側面１２ｃからスライド溝２１に到達する２個のスライド用ネジ穴２５，２６と、上側面１２ｃからスライド溝２１に到達する１個のロック用ネジ穴２７とが貫通形成されている。これら６個のネジ穴２２〜２７のうちロック用ネジ穴２７は、他のネジ穴２２〜２６よりも大径に形成されている。
【００２６】
図２に示すように、固定用ネジ穴２２〜２４には、３本の六角ネジ３０〜３２がそれぞれ挿通されると共に、これら六角ネジ３０〜３２の先端部をドクターナイフ１１の基部に押し付ける。これにより、ドクターナイフ１１は、その基部を固定溝２０内に固定されてホルダ部材１２により保持される。スライド用ネジ穴２５，２６には、２本の六角ネジ３３，３４がそれぞれ挿通されると共に、これら六角ネジ３３，３４の先端部を後述するホルダ用シャフト１３に形成されたガイド溝２９内に突出させる。これにより、ホルダ部材１２はホルダ用シャフト１３に摺動自在に支持される。なお、ガイド溝２９内に突出される構成は六角ネジ３３，３４の先端部に限定されず、例えばスライド用ネジ穴２５，２６に挿通されるピン部材やスライド溝２１内に形成される突起であってもよい。
【００２７】
ロック用ネジ穴２７には、ロック手段としての１本の蝶ネジ３５が挿通される。この蝶ネジ３５を締めて先端部をガイド溝２９の底部に当接させることで、ホルダ部材１２はホルダ用シャフト１３上の所定位置にロックされる。一方、蝶ネジ３５を緩めて先端部をガイド溝２９の底部から離間させることで、ホルダ部材１２はガイド溝２９に沿ってホルダ用シャフト１３上をスライド移動可能に構成されている。なお、ロック手段は蝶ネジ３５に限定されず、先端部をガイド溝２９の底部に当接させてホルダ部材１２を所定位置でロックできるもので、例えばピン部材等であってもよい。
【００２８】
ホルダ用シャフト１３は、横断面矩形状に形成されており、その一端部をドクターホルダベース部７に固定されている（図１（ａ）参照）。また、ホルダ用シャフト１３の長手方向には、スライド用ネジ穴２５，２６に挿通された六角ネジ３３，３４の先端部を軸方向に案内するガイド溝２９が形成されている。
【００２９】
次に、本実施形態に係るドクターホルダ装置１０による作用効果について説明する。
【００３０】
印刷ロール３が回転すると、この印刷ロール３の外周面と接触するドクターナイフ１１の先端部には摩擦力が作用する。このため、電線５０への印刷を長時間連続すると、ドクターナイフ１１の先端部が摩耗して印刷文字にカケ等が発生する場合がある。このように印刷文字にカケ等が発生すると、図４に示す従来例では、ドクターナイフ１１１と印刷ロール１０３とが略同一幅で形成されているので、ドクターナイフ１１１をホルダ部材１１２から取り外して新品に交換する必要があった。
【００３１】
これに対して、本実施形態のドクターホルダ装置１０では、ドクターナイフ１１の幅方向長さは、印刷ロール３の幅方向長さよりも２倍以上長く形成され、かつ、ドクターナイフ１１を保持するホルダ部材１２はホルダ用シャフト１３にスライド移動可能に支持されている。すなわち、ドクターナイフ１１の一部が摩耗した場合、作業者はドクターナイフ１１をホルダ部材１２から取り外すことなくホルダ部材１２と一体にスライドさせれば、ドクターナイフ１１の摩耗していない新たな先端部を印刷ロール３の外周面に接触させることができる。
【００３２】
したがって、本実施形態のドクターホルダ装置１０によれば、ドクターナイフ１１の一部が摩耗した場合においても、ドクターナイフ１１を交換することなく従来例に比べて二倍以上連続して印刷を行うことが可能になる。
【００３３】
また、図４に示す従来例においては、ドクターナイフ１１１の一部が摩耗した場合、ドクターナイフ１１１をホルダ部材１１２から取り外すか、ホルダ部材１１２ごとホルダ用シャフト１１３から取り外す必要があった。そのため、従来例では、印刷を再開するまでに多くの工数と時間を費やしていた。
【００３４】
これに対して、本実施形態のドクターホルダ装置１０では、蝶ネジ３５を締めればホルダ部材１２がホルダ用シャフト１３上の所定位置にロックされ、蝶ネジ３５を緩めればロックが解除されるように構成されている。すなわち、ドクターナイフ１１の摩耗していない新たな先端部を使用する場合、作業者は蝶ネジ３５を緩めてロックを解除すると共に、ドクターナイフ１１をホルダ部材１２と一体に所定位置までスライドさせた後、再び蝶ネジ３５を締めてロックすればよい。
【００３５】
したがって、本実施形態のドクターホルダ装置１０によれば、ドクターナイフ１１の一部が摩耗した場合においても、ドクターナイフ１１やホルダ部材１２を取り外すことなくロックを解除してスライドさせるのみで、極めて容易かつ短時間で印刷を再開することが可能になる。
【００３６】
また、図４に示す従来例では、ホルダ用シャフト１１３を受容するホルダ部材１１２の溝１２１は、ドクターナイフ１１１を固定する溝１２０と略同等の高さ位置に形成されている。このため、ドクターナイフ１１１により削ぎ取られた余剰の印刷インクが垂れた場合、この印刷インクが溝１２１内に流れ込んで固化し、ホルダ用シャフト１１３とホルダ部材１１２とを固着させることがあった。
【００３７】
これに対して、本実施形態のドクターホルダ装置１０では、ホルダ部材１２をスライド移動させるスライド溝２１は、ドクターナイフ１１を固定する固定溝２０よりも上方に位置して設けられているので、垂れた印刷インクはスライド溝２１内に流れ込むことなく、インク容器２に直接落下される。
【００３８】
したがって、本実施形態のドクターホルダ装置１０によれば、ドクターナイフ１１により削ぎ取られた余剰の印刷インクがスライド溝２１に流れ込んで固化することで引き起こされるホルダ部材１２の固着を効果的に防止することができる。
【００３９】
なお、本発明は、上述の実施形態に限定されるものではなく、本発明の趣旨を逸脱しない範囲で、適宜変形して実施することが可能である。
【００４０】
例えば、図５に示すように、ガイド溝２９を省略して、スライド溝２１の開口部を板部材３９で閉鎖し、その内部にホルダ用シャフト１３を摺動可能に収容してもよい。この場合も、上述の実施形態と同様の作用効果を奏することができる。
【符号の説明】
【００４１】
１  インライン用印刷機
２  インク容器
３  印刷ロール
５  押さえロール
１０  ドクターホルダ装置
１１  ドクターナイフ
１２  ホルダ部材（ホルダ）
１３  ホルダ用シャフト（シャフト）
２０  固定溝（第一の溝）
２１  スライド溝（第二の溝）
２９  ガイド溝
３５  蝶ネジ（ロック手段）
５０  電線
【図１】
2013233677.tif 000003
【図２】
2013233677.tif 000004
【図３】
2013233677.tif 000005
【図４】
2013233677.tif 000006
【図５】
2013233677.tif 000007